(57)【要約】【課題】ダブルジャケット構造ホースの流動抵抗の増大を低減するようにした消防用ホースを提供する。【解決手段】筒状織物からなる内筒ジャケット２の内側にゴム又は樹脂のシール層４が内貼りされ、該内筒ジャケット２の外側に別の筒状織物からなる外筒ジャケット３が被覆されたダブルジャケット構造の消防用ホースである。ホース単位長さ当たりの外筒ジャケット３の経糸３ａの織り込み長さを内筒ジャケット２の経糸２ａの織り込み長さよりも長くしたものである。【選択図】    図２
2008036027.tif 000002
【特許請求の範囲】
【請求項１】
筒状織物からなる内筒ジャケットの内側にゴム又は樹脂のシール層ガ内貼りされ、該内筒ジャケットの外側に別の筒状織物からなる外筒ジャケットが被覆されたダブルジャケット構造の消防用ホースにおいて、ホース単位長さ当たりの前記外筒ジャケットの経糸の織り込み長さを前記内筒ジャケットの経糸の織り込み長さよりも長くした消防用ホース。
【請求項２】
前記外筒ジャケットの経糸の織り込み長さが前記内筒ジャケットの経糸の織り込み長さより５〜５０％長く設定されている請求項１に記載の消防用ホース。
【請求項３】
前記外筒ジャケットの筒状織物が平織であり、前記内筒ジャケットの筒状織物が綾織である請求項１又は２に記載の消防用ホース。
【請求項４】
前記外筒ジャケット及び内筒ジャケットの筒状織物が共に綾織であり、かつ前記外筒ジャケットの綾織を構成する経糸の緯糸に対する飛び数を前記外筒ジャケットの綾織を構成する経糸の飛び数よりも少ない構成にした請求項１又は２に記載の消防用ホース。
【請求項５】
前記外筒ジャケット及び内筒ジャケットの筒状織物が共に平織であり、かつ前記外筒ジャケットにおける緯糸の打ち込み密度を前記内筒ジャケットにおける緯糸の打ち込み密度よりも大きくした請求項１又は２に記載の消防用ホース。
【発明の詳細な説明】
【技術分野】
【０００１】
本発明は消防用ホースに関し、さらに詳しくは、ダブルジャケット構造ホースの流動抵抗を低減するようにした消防用ホースに関する。
【背景技術】
【０００２】
一般に消防用ホースはジャケットが筒状織物で構成され、そのジャケットの内側に樹脂又はゴムなどのシール層が内貼りされた構成になっている。この消防用ホースは、消火活動時には、消防水が充満した状態で路面上を引きずりまわされるためジャッケト表面が摩耗し、複数回の使用を経ることにより寿命に至ることになる。このような消防用ホースの寿命を長くするため、ジャケット構造を内筒ジャケットと外筒ジャケットとのダブルジャケットにしたものがある（例えば、特許文献１、２等）。
【０００３】
しかし、ダブルジャケット構造の消防用ホースには、以下に説明するような理由から放水時の流動抵抗が増大するという問題がある。すなわち、ダブルジャケット構造の消防用ホースを新品時から複数回の消火活動に使用すると、図５に示すように、消防用ホース５０の外筒ジャケット５３はスムーズな外観であるが、内筒ジャケット５２が長手方向に多数の弛みや皺を発生し、これら弛みや皺が放水に大きな流動抵抗を発生するようになることである。
【０００４】
このような内筒ジャケットにおける弛みや皺の発生原因は、内筒ジャッケト及び外筒ジャッケトの筒状織物が消防活動時に水濡れを受け、この水濡れと乾燥とが繰り返されるとき筒状織物の経糸が収縮することに起因している。
【０００５】
図５のように、消防用ホース５０の両端部は連結金具６０、６１に対してワイヤ６２の巻き付けにより固定されており、新品時には内筒ジャケット５２及び外筒ジャケット５３とも同一長さである。しかし、水濡れを受けると、外筒ジャッケト５３は経糸が収縮して長手方向に収縮するが、内筒ジャケット５２の方はシール層５４が内貼りされているため収縮を拘束される。そのため内筒ジャケット５２は外筒ジャッケト５３との収縮差分を弛みや皺を発生することで吸収し、このようにして発生した弛みや皺が消防水に対して大きな流動抵抗を発生する原因になっているのである。
【特許文献１】特開２００４−１９７８３号公報
【特許文献２】実公平２−５４８号公報
【発明の開示】
【発明が解決しようとする課題】
【０００６】
本発明の目的は、ダブルジャケット構造ホースの流動抵抗の増大を低減するようにした消防用ホースを提供することにある。
【課題を解決するための手段】
【０００７】
上記目的を達成する本発明の消防用ホースは、筒状織物からなる内筒ジャケットの内側にゴム又は樹脂のシール層ガ内貼りされ、該内筒ジャケットの外側に別の筒状織物からなる外筒ジャケットが被覆されたダブルジャケット構造の消防用ホースにおいて、ホース単位長さ当たりの前記外筒ジャケットの経糸の織り込み長さを前記内筒ジャケットの経糸の織り込み長さよりも長くしたことを特徴とするものである。
【０００８】
このようなホース構成において、外筒ジャケットの経糸の織り込み長さは内筒ジャケットの経糸の織り込み長さより５〜５０％長く設定することが望ましい。
【０００９】
上述の構成を可能にする態様としては、前記外筒ジャケットの筒状織物が平織であり、前記内筒ジャケットの筒状織物が綾織である構成にしたものがある。また、前記外筒ジャケット及び内筒ジャケットの筒状織物が共に綾織であり、かつ前記外筒ジャケットの綾織を構成する経糸の緯糸に対する飛び数を前記外筒ジャケットの綾織を構成する経糸の飛び数よりも少ない構成にしたものがある。また、前記外筒ジャケット及び内筒ジャケットの筒状織物が共に平織であり、かつ前記外筒ジャケットにおける緯糸の打ち込み密度を前記内筒ジャケットにおける緯糸の打ち込み密度よりも大きくしたものなどがある。
【発明の効果】
【００１０】
本発明の消防用ホースは、ホースの単位長さにおいて外筒ジャケットの経糸の織り込み長さを内筒ジャケットの経糸の織り込み長さよりも長くしたので、水濡れにより外筒ジャケットが内筒ジャケットよりも大きな収縮を生じても、内筒ジャケット側に及ぼす収縮力を弱くし、内筒ジャケットに弛みや皺を発生させないようすることができる。したがって、消防用ホースの放水時の流動抵抗の増大を低減又は抑制することができる。
【発明を実施するための最良の形態】
【００１１】
本発明の消防用ホースは、内筒ジャケットと外筒ジャケットを有するダブルジャケット構造からなり、内筒ジャケットの内面にはゴム又は樹脂のシール層が内貼りされていることを基本構造としている。内筒ジャケットと外筒ジャケットとは、それぞれ複数本の有機繊維コードからなる経糸がホース長手方向に平行に配列し、これら複数本の経糸に対して１本又は複数本の有機繊維コードからなる緯糸が周方向に螺旋状に巻回しながら織り込まれて筒状織物に織成されている。
【００１２】
このようなダブルジャケット構造において、ホースの単位長さ当たりにおいて、外筒ジャケットにおける経糸の織り込み長さが、内筒ジャケットにおける経糸の織り込み長さよりも長く設定されている。すなわち、ホースを単位長さ（例えば、１ｍ）だけ切断し、その切断したホースにおける内筒ジャケット及び外筒ジャケットに織り込まれた経糸を直線状態に展延したとき、外筒ジャケットの経糸の方が内筒ジャケットの経糸よりも長くなるように設定されている。この経糸の織り込み長さの差としては、好ましくは外筒ジャケットの経糸の長さを内筒ジャケットの経糸の長さに対して５〜５０％長くし、さらに好ましくは１０〜３５％、最も好ましくは１５〜２５％の範囲で長くするのがよい。
【００１３】
図１及び図２は本発明の実施形態からなる消防用ホースを例示したものである。
図１に示すように、消防用ホース１は両端部に連結金具２０及び３０を装着し、それぞれワイヤ３１を巻き付けて固定されている。消防ホース１は筒状織物からなる内筒ジャケット２と筒状織物からなる外筒ジャケット３とのダブルジャケット構造を有し、内筒ジャケット２の内面にはゴム又は軟質樹脂のシール層４が一体に内貼りされている。
【００１４】
図２に示すように、内筒ジャケット２の筒状織物は、ホース長手方向にジグザグ状に延長する複数本の経糸２ａと、これら経糸２ａに周方向に螺旋状に巻回するように織り込まれた緯糸２ｂとにより織り構造１／１の平織に織成されている。また、外筒ジャケット３の筒状織物は、同じくホース長手方向にジグザグ状に延長する複数本の経糸３ａと、これら経糸３ａに周方向に螺旋状に巻回するように織り込まれた緯糸３ｂとにより織り構造１／２の綾織に織成されている。
【００１５】
上述のように内筒ジャケット２は綾織であるので、経糸２ａが緯糸２ｂに対して２本づつ飛び越しながら織り込まれているのに対して、外筒ジャケット３は平織であるので、経糸３ａが緯糸３ｂに対して１本づつ交互に折り返すように織り込まれている。したがって、ホースの単位長さにおいて、外筒ジャケット３の経糸３ａを直線状に展延したときの長さは、内筒ジャケット２の経糸２ａを直線状に展延した長さよりも長くなる。
【００１６】
したがって、新品時に内筒ジャケット２及び外筒ジャケット３が共に同じ長さに設定された消防用ホース１が、消防などに使用されて水濡れを受けると、外筒ジャケット３が収縮するのに対して、内筒ジャケット２はシール層４の拘束により収縮を制限されるが、内筒ジャケット２よりも経糸長さが長く設定されている外筒ジャケット３から内筒ジャケット２に作用する収縮力は弱くなるので、図５に示すような弛みや皺が内筒ジャケット２に発生しないようにすることができる。
【００１７】
内筒ジャケット２と外筒ジャケット３との織り構造の組み合わせは、上述した綾織と平織との関係に限定されるものではなく、外筒ジャケットの経糸の織り込み長さを内筒ジャケットの経糸の織り込み長さよりも長くする関係になっていれば、他の組み合わせであってもよい。
【００１８】
図３に例示する実施形態の消防用ホース１は、内筒ジャケット２と外筒ジャケット３の筒状織物が共に綾織に構成されている。しかし、外筒ジャケット３の綾織は織り構造が２／１であって、経糸３ａが緯糸３ｂを飛び越す数が２本置きであるのに対して、内筒ジャケット２の綾織は織り構造が３／１であって、経糸３ａが緯糸３ｂを飛び越す数が３本置きになっている。
【００１９】
したがって、ホースの単位長さにおいて、外筒ジャケット３の経糸３ａを直線状に展延したときの長さは、内筒ジャケット２の経糸２ａを直線状に展延した長さよりも長くなっている。
【００２０】
また、図４に例示する実施形態の消防用ホース１は、内筒ジャケット２と外筒ジャケット３の筒状織物が共に平織に構成されている。しかし、外筒ジャケット３の平織は、その緯糸３ｂの打ち込み密度が内筒ジャケット２の平織の緯糸２ｂの打ち込み密度よりも多きなっている。したがって、ホースの単位長さにおいて、外筒ジャケット３の経糸３ａを直線状に展延したときの長さは、内筒ジャケット２の経糸２ａを直線状に展延した長さよりも長くなっている。
【００２１】
このような外筒ジャケットと内筒ジャケットとの間の経糸の織り込み長さの差としては、前述した通り外筒ジャケットの経糸の長さを内筒ジャケットの経糸の長さに対して５〜５０％の範囲で長くするとよく、好ましくは１０〜３５％、さらに好ましくは１５〜２５％長くするとよい。５％未満では、消防用ホースの放水時の流動抵抗の増大を抑制することは難しくなり、また５０％よりも大きくすると、外筒ジャケットに凹凸があらわれホース外観を低下させるようになる。
【図面の簡単な説明】
【００２２】
【図１】本発明の実施形態からなる消防用ホースを一部破断して示す側面図である。
【図２】図１の消防用ホースにおける要部断面を示す拡大断面図である。
【図３】本発明の他の実施形態からなる消防用ホースの要部断面を示す拡大断面図である。
【図４】本発明の更に他の実施形態からなる消防用ホースの要部断面を示す拡大断面図である。
【図５】従来の消防用ホースを一部破断して示す側面図である。
【符号の説明】
【００２３】
１  消防用ホース
２  内筒ジャケット
３  外筒ジャケット
４  シール層
２ａ，３ａ  経糸
２ｂ，３ｂ  緯糸
２０，３０  連結金具
【図１】
2008036027.tif 000003
【図２】
2008036027.tif 000004
【図３】
2008036027.tif 000005
【図４】
2008036027.tif 000006
【図５】
2008036027.tif 000007